(57)【要約】【課題】水栓が装着された状態のままボルトの締め込み度合いを再調整したり、あるいは装着されている水栓と一体的に天板から取り外すことができる水栓用固定具及びこれを備える水栓器具を提供する。【解決手段】本発明の水栓用固定具は、水栓を板材に固定するためのものであり、水栓が装着される台座と、台座とともに天板を挟み込むためのホルダと、台座とホルダとを連結するとともに回転によって台座とホルダとの間隔を調整可能なボルトと、ボルトの回転に伴ってホルダが回転するのを防止する共回り防止機構と、ボルトの先端側に設けられボルトを工具で回転させるための回転操作部とを備える。【選択図】図１
2015014170.tif 000002
【特許請求の範囲】
【請求項１】
水栓を板材に固定するための水栓用固定具であって、
前記水栓が装着される台座と、
前記台座とともに前記板材を挟み込むためのホルダと、
前記台座と前記ホルダとを連結するとともに回転によって前記台座と前記ホルダとの間隔を調整可能な第１のボルトと、
前記第１のボルトの回転に伴って前記ホルダが回転するのを防止する共回り防止機構と、
前記第１のボルトの先端側に設けられ前記第１のボルトを工具で回転させるための第１の回転操作部と、
を備える水栓用固定具。
【請求項２】
前記台座と前記ホルダとを連結するとともに回転によって前記台座と前記ホルダとの間隔を調整可能な第２のボルトと、
前記第２のボルトの先端側に設けられ前記第２のボルトを工具で回転させるための第２の回転操作部と、
を更に備え、
前記第２のボルトは前記共回り防止機構の役割を担うものである、請求項１に記載の固定具。
【請求項３】
前記第１及び第２の回転操作部の両方又は一方は、前記ボルトに対して着脱自在である、請求項２に記載の固定具。
【請求項４】
前記第１及び第２の回転操作部の両方又は一方は、一つのナットと、当該ナットの側面に設けられたネジ孔に装着可能なビスとによって構成される、請求項２又は３に記載の固定具。
【請求項５】
前記第１及び第２の回転操作部の両方又は一方は、互いに当接した二つのナットによって構成される、請求項２又は３に記載の固定具。
【請求項６】
前記第１及び第２の回転操作部の両方又は一方は、二つのＥリングと、当該二つのＥリングの間に配置されるナットと、前記ボルトの軸部の先端側に間隔をあけて設けられ当該二つのＥリングを装着するための溝とによって構成される、請求項２又は３に記載の固定具。
【請求項７】
請求項１〜６のいずれか一項に記載の水栓用固定具と、
前記水栓用固定具の前記台座に装着される水栓と、
を備える水栓器具。
【発明の詳細な説明】
【技術分野】
【０００１】
本発明は水栓用固定具及びこれを備える水栓器具に関する。
【背景技術】
【０００２】
システムキッチンや洗面台の天板の下は作業スペースが狭いことが多い。このため、天板に水栓を固定する作業は、なるべく天板の表面側から行うことが望ましい。水栓を天板に固定するには、まず、天板に設けられた貫通孔に水栓用固定具（以下、単に「固定具」ともいう。）を装着する。特許文献１−３は、天板の表面側から装着作業を実施できる固定具を開示する。
【０００３】
固定具は、天板の表面側に配置される台座と、天板の裏面側に配置されるホルダと、これらを連結するボルトとを備え、ボルトを回転させることによって台座とホルダの間隔が狭まり、固定具を天板に固定することができる。これと反対にボルトを回転させれば、台座とホルダの間隔が広がって固定状態が解除され、固定具を天板から取り外すことができる。天板の貫通孔に固定具を装着した後、表面側の台座に水栓を装着するとともに裏面側から貫通孔を通じて水栓に給水管などが接続される。
【先行技術文献】
【特許文献】
【０００４】
【特許文献１】特許第３１５３７８２号公報
【特許文献２】特許第４１４３１８３号公報
【特許文献３】特許第４５２２５４４号公報
【発明の概要】
【発明が解決しようとする課題】
【０００５】
ところで、システムキッチンや洗面台は今や優れたデザイン性が求められる。そのため、固定具の台座に水栓が装着された状態では固定具のボルトは水栓の根元部で覆われて外からは見えないようになっている。したがって、水栓の装着後に、再度、固定具のボルトを操作するには、水栓を取り外さなければならない。なお、水栓には給水管などが接続されているため、水栓を取り外すにはこれらの配管も外す必要がある。
【０００６】
固定具に水栓を装着した後、ボルトを操作して固定具を締め直したい場合がある。例えば、水栓を使っているうちに固定具に緩みが生じ、これにより水栓がぐらつく不具合が発生した場合などである。しかし、上述のとおり、固定具のボルトを操作するには水栓を外さなければならず、煩雑な作業を要する。他方、長期の使用によって固定具の台座と水栓とが固着してしまい、台座から水栓を容易には取り外すことができない場合もある。このような場合、従来は水栓をハンマーでたたくなどして水栓を固定具から取り外さなければならず、水栓やシンクまわりが損傷する可能性もあった。
【０００７】
本発明は上記課題に鑑みてなされたものであり、水栓が装着された状態のままボルトの締め込み度合いを再調整したり、あるいは装着されている水栓と一体的に天板から取り外すことができる水栓用固定具及びこれを備える水栓器具を提供することを目的とする。
【課題を解決するための手段】
【０００８】
本発明の水栓用固定具は、水栓を板材（例えば天板）に固定するためのものであり、水栓が装着される台座と、台座とともに板材を挟み込むためのホルダと、台座とホルダとを連結するとともに回転によって台座とホルダとの間隔を調整可能な第１のボルトと、第１のボルトの回転に伴ってホルダが回転するのを防止する共回り防止機構と、第１のボルトの先端側に設けられ第１のボルトを工具で回転させるための第１の回転操作部とを備える。
【０００９】
上記固定具によれば、ボルトの先端側に回転操作部を設けたことでボルトの基端側（頭部）が水栓で覆われた状態であっても、工具を用いてボルトの操作を行うことができる。これにより、水栓が固定具の台座に固定された状態のまま、ボルトを締め直したり、あるいはボルトを緩めることによって水栓と一体となった状態であっても固定具を板材から取り外すことができる。なお、回転操作部を回転させるのに使用する工具としては、作業者が手に持って使用するレンチやドライバなどが挙げられる。回転操作部に関する「ボルトを工具で回転させるため」との記載は、回転操作部が工具を用いて操作可能であることを意味するものであり、締め付ける前の状態や工具を用いて固定状態を解除した後であれば、作業者が工具を使用せずに指でボルトを回転させてもよい。
【００１０】
共回り防止機構は、上述のとおり、ボルトの回転に伴ってホルダが回転するのを防止するためのものである。もし、ボルトの回転に伴ってホルダが回転してしまったら、台座とホルダの間隔を変更できない。上記固定具において、二本目のボルト（第２のボルト）を採用し、このボルトが共回り防止機構の役割を果たしてもよい。すなわち、上記固定具は、台座とホルダとを連結するとともに回転によって台座とホルダとの間隔を調整可能な第２のボルトと、第２のボルトの先端側に設けられ第２のボルトを工具で回転させるための第２の回転操作部とを更に備え、第２のボルトは共回り防止機構の役割を担うものであってもよい。かかる構成を採用することで、ボルト以外の構成を共回り防止機構として採用する必要がないため、固定具をシンプルな構成としやすい。また、二本以上のボルトを固定具の互いに離れた位置に設けることによって、固定具の固定状態が安定化しやすく、また把持力を大きくしやすいため、固定具を小型化できるという利点がある。
【００１１】
作業性の観点から、第１及び第２の回転操作部の両方又は一方は、ボルトに対して着脱自在であることが好ましい。第１及び第２の回転操作部の両方又は一方は、作業性及び製造の容易性などの観点から、例えば、以下のような態様とすることができる。
【００１２】
回転操作部の第一の態様は、一つのナットと、当該ナットの側面に設けられたネジ孔に装着可能なビスとによって構成されるものである。ビスをナットの側方から締めつけてビスの先端をボルトに当接させることによってナットをボルトに固定することができる。これによりナットを工具で回転させることによってボルトも一体的に回転する。なお、ビスを緩めることによってナット（回転操作部）をボルトから取り外し可能な状態にすることができる。
【００１３】
回転操作部の第二の態様は、互いに当接した二つのナットによって構成されるものである。ボルトに二つのナットを当接させて配置することで一方のナットの回転が他方のナットによって規制され、当該一方のナットを工具で回転することによってボルトも一体的に回転する。これと反対の向きにボルトを回転させる場合も同様に、当該他方のナットの回転が当該一方のナットによって規制され、当該他方のナットを回転することによってボルトを上記と反対向きに一体的に回転する。
【００１４】
回転操作部の第三の態様は、二つのＥリングと、当該二つのＥリングの間に配置されるナットと、ボルトの軸部の先端側に間隔をあけて設けられ当該二つのＥリングを装着するための溝とによって構成されるものである。二つのＥリングによって挟まれた位置にナットを配置することでナットの回転がＥリングによって規制され、ナットを回転させることによってボルトを一体的に回転する。
【００１５】
本発明は、上記水栓用固定具と、その台座に装着される水栓とを備える水栓器具を提供する。本発明の水栓器具によれば、上記構成の水栓用固定具を採用したことで、水栓が固定具の台座に固定された状態のまま、ボルトの締め込み度合いを再調整することができ、あるいは固定具とこれに装着されている水栓とを一体的に天板から取り外すことができる。
【発明の効果】
【００１６】
本発明によれば、水栓が装着された状態のまま固定具のボルトの締め込み度合いを再調整でき、あるいは固定具とこれに装着されている水栓とを一体的に天板から取り外すことができる。
【図面の簡単な説明】
【００１７】
【図１】本発明に係る水栓用固定具の第１実施形態を示す斜視図である。
【図２】ボルトの先端側に設けられた回転操作部の一例を模式的に示す断面図である。
【図３】図１に示す水栓用固定具の台座を示す斜視図である。
【図４】組付け作業を行う前の固定具及び水栓を示す斜視図である。
【図５】図１に示す水栓用固定具のホルダを示す図であり、（Ａ）は底面図、（Ｂ）は側面図、（Ｃ）は正面図である。
【図６】図１に示すボルトを示す斜視図である。
【図７】台座と固定具とに紐を挿通した状態を示す斜視図である。
【図８】紐がホルダの紐挿通孔を通過する様子を示す図であり、（ａ）は紐がホルダの紐挿通孔を通過する直前の状態、（ｂ）は紐がホルダの紐挿通孔を通過中の状態、（ｃ）紐がホルダの紐挿通孔を通過した直後の状態をそれぞれ示す断面図である。
【図９】図１に示す水栓用固定具を天板の貫通孔に装着するために横転させた状態を示す斜視図である。
【図１０】紐を用いてホルダを回転させ、ホルダの位置合わせを行った状態を示す斜視図である。
【図１１】六角レンチを用いてボルト締めを行っている様子を示す斜視図である。
【図１２】六角レンチを用いて水栓のねじ止めを行っている様子を示す斜視図である。
【図１３】水栓と台座との組合せ状態を示す横断面図である。
【図１４】本発明の第２実施形態に係る回転操作部を示す正面図である。
【図１５】本発明の第３実施形態に係る回転操作部の構成を示す分解図である。
【図１６】本発明の第３実施形態に係る回転操作部を示す正面図である。
【図１７】回転操作部の他の例を示す正面図である。
【発明を実施するための形態】
【００１８】
以下、図面を参照しながら本発明の好適な実施形態について説明する。なお、説明において、同一要素又は同一機能を有する要素には同一符号を用いることとし、重複する説明は省略する。ここでは、湯水混合水栓（以下、単に「水栓」という。）を天板に固定する場合を例に挙げて説明するが、例えば、水栓は湯水混合水栓に限定されないし、水栓の固定対象も天板に限定されない。
【００１９】
＜第１実施形態＞
（水栓用固定具）
図１に示す固定具１０は、天板（板材）１に水栓を固定するためのものである。固定具１０は、水栓が装着される台座１１と、台座１１とともに天板１を挟み込むためのホルダ１２と、台座１１とホルダ１２とを連結するとともに回転によって台座１１とホルダ１２との間隔を調整可能な２本のボルト（第１及び第２のボルト）１３とを備える。固定具１０は、台座１１とホルダ１２とを結び付けてホルダ１２を所定の向きに向ける結束用紐１４と、台座１１の下面から下方に延びており天板１の貫通孔１ａの内周面に当接して貫通孔１ａに対する台座１１の位置を制限する二本のピン１５とを更に備える（図７参照）。
【００２０】
固定具１０が備える二本のボルト１３は、図２に示すとおり、先端側にボルト１３を工具で回転させるための回転操作部２０をそれぞれ有する。ボルト１３の先端側に回転操作部２０を設けたことでボルト１３の基端側である頭部１３ａが水栓で覆われた状態であっても、工具を用いてボルト１３の操作を行うことができる。これにより、水栓が固定具１０の台座１１に固定された状態のままボルト１３の締め込み度合いを再調整することができる。また、二本のボルト１３を緩め、少なくとも一方のボルト１３を外すことにより、固定具１０とこれに装着されている水栓とを一体的に天板１から取り外すことも可能である。以下、固定具１０の各構成について説明する。
【００２１】
台座１１は、天板１の表面側に配置されるものであり、水栓の下端部を装着できるように、図３に示すとおり、円筒部１１ａを有し、必要に応じて鍔部１１ｂも有する。台座１１の材質としては、金属又は樹脂が挙げられる。水栓が組付けられて水栓を支えることを考慮すると、強度の観点から金属が好ましく、金属のなかでも生産性（加工性）の観点から銅合金が好ましく、外観性の観点から銅合金の表面にメッキ処理を施したものが好ましい。なお、軽量化を優先する場合は台座１１の材質を樹脂とするのが良いが、その場合は繊維強化樹脂、特にガラス繊維強化樹脂を用いるのがよい。
【００２２】
台座１１の円筒部１１ａは、内面側に部分的に突出した２つの厚肉部１１ｃを有し、それぞれの厚肉部１１ｃには各一本ずつボルト１３を挿通するためのボルト孔１１ｄが形成されている。円筒部１１ａの開口は、二つの厚肉部１１ｃによって大小２つの領域に分けられており、大きい方の領域Ｒａに給水管Ｐ１、給湯管Ｐ２及び湯水混合水管Ｐ３が挿通され、小さい方の領域Ｒｂに湯水混合水をスパウトに移送するフレキシブルホースＨが挿通される（図４，１３参照）。図４に示すように、水栓５０の筒状下端部が円筒部１１ａを覆うように配置されるとともに、鍔部１１ｂの表面に水栓５０の下端面が当接する。
【００２３】
図３に示すように、二つの厚肉部１１ｃには上述のピン１５を挿入するためのピン孔１１ｅが中心軸と平行にそれぞれ設けられている。一方のボルト孔１１ｄの近傍には、ピン孔１１ｅと反対側の位置に、結束用紐１４を挿通させるための紐挿通孔１１ｈが中心軸と平行に設けられている。
【００２４】
円筒部１１ａの外周面には、水栓固定用ねじの先端部が挿入される円錐状穴１１ｆと、水栓を固定する角度を指定するための複数の角度指定溝１１ｇとが設けられている。円錐状穴１１ｆは、上述の小さい方の領域Ｒｂの外周面の中央位置に設けられている。複数の角度指定溝１１ｇは、中心軸に平行な多数の浅い溝からなり、円錐状穴１１ｆの位置の両側に設けられている。これらの角度指定溝１１ｇは、複数（例えば４つ）の溝からなるグループが線対称及び点対称に配置された計４つのグループからなる。図３に示すとおり、１つのグループは、円錐状穴１１ｆから中心角３０°の位置に設けられた角度指定溝１１ｇ１と、この角度指定溝１１ｇ１から中心角１５°間隔で更に３つの第２〜４の角度指定溝１１ｇ２，１１ｇ３，１１ｇ４とを有する。台座１１の外周面に角度指定溝１１ｇを設けることで水栓の取付作業時の角度設定を容易に行うことができる。
【００２５】
ホルダ１２は、台座１１とともに天板１を挟み込むためのものであり、図５に示すように馬蹄形を有しており剛性が高く変形しにくい材質からなる。ホルダ１２の材質としては、金属又は樹脂が挙げられる。水栓を支えることを考慮すると、強度の観点から金属が好ましく、金属のなかでも生産性（加工性）の観点から銅合金が好ましい。なお、軽量化を優先する場合はホルダ１２の材質を樹脂とするのが良いが、その場合は繊維強化樹脂、特にガラス繊維強化樹脂を用いるのがよい。
【００２６】
ホルダ１２の下面側の外周端縁は面取りされており、面取りされていない上面の外周端縁部には略等間隔で複数のすべり止め１２ａが設けられている。すべり止め１２ａは先端に向けて先細りになる横断面が略三角形の突起からなる。ホルダ１２の湾曲した形状の内周面側には、台座１１の突出した厚肉部１１ｃ，１１ｃに対応する位置に内側へ突出した突出部１２ｂ，１２ｂが設けられている。これらの突出部１２ｂ，１２ｂにはボルト１３を螺合するためのネジ孔１２ｃがそれぞれ設けられている。なお、被装着部への食い込みをし易くしてすべり止め効果を高めるために、すべり止め１２aは、ホルダ１２の上面の外周端縁部のみに設けるのが良い。
【００２７】
ホルダ１２は、台座１１側の紐挿通孔１１ｈに対応する位置に紐挿通孔１２ｈが設けられている。この紐挿通孔１２ｈは、中央部から上部に向けて径が徐々に大きくなるテーパ面を有し、結束用紐１４の先端部１４ｂが上方から入り易い形状となっている（図８参照）。
【００２８】
二本のボルト１３は、台座１１とホルダ１２とを連結するとともに回転によって台座１１とホルダ１２との間隔を調整するためのものである。ボルト１３の材質としては、金属又は樹脂が挙げられ、強度の観点から金属（例えばステンレス）が好適である。図６に示すボルト１３は、六角穴付きボルトであり、六角レンチ用の穴を有する頭部１３ａと、頭部１３ａから延びており雄ねじが切られた軸部１３ｂと、軸部１３ｂの先端側に設けられる回転操作部２０（図２参照）とを備える。なお、ボルト１３は六角穴付きボルトでなくてもよく、例えば一般的なプラスもしくはマイナスのネジ又は六角ボルトであってもよい。
【００２９】
頭部１３ａは、軸部１３ｂよりも外側に張り出しており頭部１３ａの下面が台座１１の上面と当接することで、ボルト１３がホルダ１２側に移動するのが規制される。一方、台座１１の上面は、ボルト１３がホルダ１２側に移動するのを規制する受け部をなす。頭部１３ａの下面と台座１１の上面との間にワッシャーリングを介在させてもよい。なお、ボルト１３の軸部１３ｂは、天板１の板厚よりも長く、より詳しくは、少なくとも天板１の厚さと、台座１１の高さと、ホルダ１２の厚さと回転操作部２０とを加えた長さよりも長い。
【００３０】
回転操作部２０は、ボルト１３の先端側に設置可能なものであり、天板１の裏面側から工具でボルト１３を回転させるためのものである。本実施形態に係る回転操作部２０は、図２に拡大して示すとおり、ボルト１３の軸部１３ｂの先端側に装着されるナット２１と、ナット２１の側面に設けられたネジ孔２１ａに装着可能なビス２３とによって構成される。ビス２３をナット２１の側方から締め付けてビス２３の先端をボルトの軸部１３ｂに当接させることによってナット２１をボルト１３に固定することができる。これによりナット２１を工具（例えばレンチ）で回転させることによってボルト１３も一体的に回転する。ボルト１３の軸部１３ｂにおけるビス２３の先端が当接する箇所は、図２に示すように、平坦面１３ｃであることが好ましく、ビス２３の先端も平坦であることが好ましい。なお、ビス２３を緩めることによってナット２１を軸部１３ｂから取り外すことができる。回転操作部２０を構成するパーツの材質としては、金属又は樹脂が挙げられ、強度の観点から金属（例えばステンレス）が好適である。
【００３１】
本実施形態においては、二本のボルト１３を採用することで、一方のボルト１３を回転させる際、他方のボルト１３が共回り防止機構の役割を果たすことができる。
【００３２】
結束用紐１４は、台座１１とホルダ１２とを結び付けてホルダ１２を所定の向きに向けるためのものである。結束用紐１４は、図７に示すように長尺であり、可撓性のある樹脂によって成形されている。結束用紐１４の手元側の端部には台座１１の上端に当接する摘み部１４ａが設けられ、他方、先端部には放射方向に広がる複数の抜止め部材１４ｃが設けられている。なお、本実施形態では結束用紐１４を可撓性のある樹脂で形成しているが、樹脂、加硫ゴム、繊維束等の材質からなる部材を結合してなるもので形成することもでき、例えば、抜止め部材１４ｃを含む一方の端部と、当端部とは反対側の端部を可撓性のある樹脂で形成し、両端部を可撓性のある繊維束で連結したものとすることもできる。
【００３３】
（水栓用固定具の装着方法）
次に、固定具１０を天板１に装着する方法について説明する。まず、結束用紐１４の先端部１４ｂを台座１１の紐挿通孔１１ｈ及びホルダ１２の紐挿通孔１２ｈに通し、台座１１とホルダ１２との間に結束用紐１４を架け渡す（図７参照）。なお、この作業は事前に工場等で行ってもよい。
【００３４】
次に、二本のボルト１３が両方とも取り付けられている場合には、結束用紐１４が取り付けられている方のボルト１３を外し、他方、二本のボルト１３がいずれも取り付けられていない場合には（図７参照）、台座１１の結束用紐１４を取り付けた方と反対側のボルト孔１１ｄにボルト１３を挿通する。その後、ホルダ１２の対応する位置に設けられたネジ孔１２ｃにボルト１３を螺合し、一本のボルト１３により台座１１とホルダ１２とを結合した状態にして、ボルト１３を中心にしてホルダ１２を結束用紐１４の緩みに応じて回動し、図９に示すように、全体を横向きに倒してホルダ１２を天板１に設けられている貫通孔１ａに通す。なお、台座１１とホルダ１２が一本のボルト１３で連結されている状態において、当該一本のボルト１３の先端側にナット２１を装着しておくことが好ましい（図９参照）。これにより施工中にホルダ１２が誤って脱落するのを防止できる。
【００３５】
ホルダ１２が天板１の貫通孔１ａを通り抜けてから、全体の向きを元に戻し、その後、図１０に示すように、結束用紐１４の摘み部１４ａを引っ張ることにより、ボルト１３を中心にしてホルダ１２を回動させてホルダ１２の向きを変え、台座１１のボルト孔１１ｄとホルダ１２のネジ孔１２ｃとの中心軸を同軸にしてボルト挿通位置を合わせる。
【００３６】
ボルト１３が挿入されていない方の同軸になった台座１１のボルト孔１１ｄとホルダ１２のネジ孔１２ｃとに、もう一本のボルト１３を通して螺合することにより台座１１とホルダ１２とを二本のボルト１３によって支持する。二本目のボルト１３の軸部１３ｂに対するナット２１の装着はこの時点で行ってもよいし、より後の段階で行ってもよい。二本のボルト１３で台座１１とホルダ１２とを連結した状態で台座１１を正面側又は背面側に位置をずらし、天板１の貫通孔１ａにピン１５が当接して移動できなくなってから、図１１に示すように、例えば４ｍｍの六角レンチ１７により各ボルト１３を均等に締めて、台座１１とホルダ１２により天板１を強く挟持する。
【００３７】
天板１の貫通孔１ａに固定具１０を装着した後、図４に示すように、水栓５０を所定の向きに保持し、下方に突き出した各配管を台座１１の内部を通して天板１を貫通させるとともに、水栓５０を台座１１上に配置する。その後、図１２に示すように、水栓５０の位置固定用ボルト５０ｂをねじ孔５０ａに装着し、六角レンチ１８を用いてボルト５０ｂの先端部が台座１１の円錐状穴１１ｆに挿入されて止まるまで締め込み、水栓５０の位置固定をする（図１３参照）。
【００３８】
（水栓器具）
図１２に示すように、本実施形態に係る水栓器具１００は、固定具１０と、固定具１０の台座１１に装着された水栓５０とを備える。水栓器具１００によれば、水栓５０が固定具１０の台座１１に固定された状態のまま、裏面側に位置する回転操作部２０を回転させることで、ボルト１３を締め直すことができ、あるいはボルト１３を緩めることによって固定具１０と水栓５０とを一体的に天板１から取り外すことができる。
【００３９】
＜第２実施形態＞
本発明の第２実施形態について説明する。第２実施形態は固定具１０の回転操作部の構成が異なる以外は第１実施形態と同様である。図１４に示すとおり、本実施形態に係る回転操作部３０は、互いに当接した二つのナット３０ａ，３０ｂによって構成されるものである。より先端側に配置されたナット３０ａの回転は、頭部１３ａ側に当接して配置されたナット３０ｂによって規制される。ナット３０ａを下から見て時計回りに工具で回転することによってボルト１３も一体的に回転させることができ、固定具１０の固定状態を解除できる。一方、ナット３０ｂの回転は、ナット３０ａによって規制される。ナット３０ｂを下から見て反時計回りに工具で回転させることによってボルト１３も一体的に回転させることができ、固定具１０を締め付けることができる。
【００４０】
二つのナット３０ａ，３０ｂは互いに当接しているに過ぎないため、より先端側のナット３０ａを反時計回りに回転させて軸部１３ｂから取り外した後、ナット３０ｂも反時計回りに回転させれば、二つのナット３０ａ，３０ｂともに軸部１３ｂから取り外すことができ、回転操作部がない状態にすることができる。なお、回転操作部３０を構成するパーツの材質としては、金属又は樹脂が挙げられ、強度の観点から金属（例えばステンレス）が好適である。
【００４１】
＜第３実施形態＞
本発明の第３実施形態について説明する。第３実施形態も固定具１０の回転操作部の構成が異なる以外は第１実施形態と同様である。図１５，１６に示すとおり、本実施形態に係る回転操作部４０は、二つのＥリング４１ａ，４１ｂと、これらのＥリング４１ａ，４１ｂの間に配置されるナット４２と、ボルト１３の軸部１３ｂに間隔をあけて設けられＥリング４１ａ，４１ｂをそれぞれ装着するための二つの溝４３ａ，４３ｂとによって構成されるものである。ナット４２の回転は、Ｅリング４１ａ，４１ｂによって規制される。ナット４２を下から見て時計回りに工具で回転させるとナット４２が頭部１３ａ側のＥリング４１ａと当接してボルト１３も一体的に回転する。これにより、固定具１０の固定状態を解除できる。一方、ナット４２を下から見て反時計回りに工具で回転させるとナット４２が先端側のＥリング４１ｂと当接してボルト１３も一体的に回転する。これにより、固定具１０を締め付けることができる。
【００４２】
先端側のＥリング４１ｂを溝４３ｂから取り外した後、ナット４２を反時計回りに回転させて軸部１３ｂから取り外し、更にＥリング４１ａも溝４３ａから取り外せば、回転操作部がない状態にすることができる。なお、回転操作部４０を構成するパーツの材質としては、金属又は樹脂が挙げられ、強度の観点から金属（例えばステンレス）が好適である。
【００４３】
上記第１〜３実施形態によれば、ボルト１３の軸部１３ｂの先端側に回転操作部２０,３０，４０を設けたことでボルト１３の頭部１３ａが水栓５０で覆われた状態であっても、天板１の裏面側から工具を用いてボルト１３の操作を行うことができる。これにより、水栓５０が固定具１０の台座１１に固定された状態のまま、ボルト１３を締め直すことができ、あるいはボルト１３を緩めることによって水栓５０と一体となった状態のまま固定具１０を天板１から取り外すことができる。
【００４４】
上記第１〜３実施形態における回転操作部２０,３０，４０は、いずれもボルト１３の軸部１３ｂに着脱可能である。このため、ボルト１３の軸部１３ｂをボルト孔１１ｄやネジ孔１２ｃを通過させるときには回転操作部がない状態とし、この状態から事後的に軸部１３ｂの先端側に回転操作部２０,３０，４０を設けることができる。
【００４５】
以上、本発明の好適な実施形態について詳細に説明したが、本発明は上記実施形態に限定されるものではない。例えば、上記実施形態においては、特に好ましい例として二本のボルト１３を採用した場合を挙げたが、ボルトの本数は一本でもよい。この場合、共回り防止機構を別途設けてもよいし、共回り防止機構として結束用紐を利用してもよい。あるいは、ボルトの本数は三本以上であってもよい。
【００４６】
また、上記実施形態においては、水平方向に拡がることを前提とした天板に固定具１０を装着し、これに水栓５０を固定する場合を例示したが、貫通孔が設けられた板材であれば、傾斜面又は鉛直面であっても本発明に係る固定具を適用できる。
【００４７】
更に、上記実施形態においては回転操作部の構成の一部としてナットを利用する場合を例示したが、キャップ付きナットを利用してもよい。例えば、図１７に示すように、ボルト１３の軸部１３ｂの先端にキャップ付きナット４５を装着し、これを回転操作部としてもよい。キャップ付きナット４５を下から見て反時計回りに回転させてもナット４５が外れることなく、ボルト１３と確実に一体的に回転するようにするため、第一実施形態と同様にキャップ付きナットの側面にネジ穴を設け、そこにビスを装着して固定してもよいし、あるいは、可能であれば接着剤を使用して固定してもよい。
【００４８】
本明細書には、独立形式請求項に係る発明とは異なる他の発明も記載されている。本願の請求項及び実施形態に記載されたそれぞれの形態、部材、構成及びそれらの組み合わせは、それぞれが有する作用効果に基づく発明として認識される。
【００４９】
上記各実施形態で示されたそれぞれの形態、部材、構成等は、これら実施形態の全ての形態、部材又は構成を備えなくても、個々に、本願請求項に係る発明をはじめとした、本願記載の全発明に適用されうる。
【符号の説明】
【００５０】
１…天板（板材）、１ａ…貫通孔、１０…水栓用固定具、１１…台座、１１ｆ…円錐状穴、１２…ホルダ、１３…ボルト、１３ａ…頭部、１３ｂ…軸部、１３ｃ…平坦面、２０，３０，４０…回転操作部、２１…ナット、２１ａ…ネジ孔、２３…ビス、３０ａ，３０ｂ…ナット、４１ａ，４１ｂ…Ｅリング、４２…ナット、４３ａ，４３ｂ…溝、４５…キャップ付きナット、５０…水栓、１００…水栓器具。
【図１】
2015014170.tif 000003
【図２】
2015014170.tif 000004
【図３】
2015014170.tif 000005
【図４】
2015014170.tif 000006
【図５】
2015014170.tif 000007
【図６】
2015014170.tif 000008
【図７】
2015014170.tif 000009
【図８】
2015014170.tif 000010
【図９】
2015014170.tif 000011
【図１０】
2015014170.tif 000012
【図１１】
2015014170.tif 000013
【図１２】
2015014170.tif 000014
【図１３】
2015014170.tif 000015
【図１４】
2015014170.tif 000016
【図１５】
2015014170.tif 000017
【図１６】
2015014170.tif 000018
【図１７】
2015014170.tif 000019